(57)【特許請求の範囲】
【請求項１】
電池、回路ブロック、電気〜機械変換機、輪列部を有する時計ムーブメントにおいて、
前記時計ムーブメントは略長方形を成しており、また、前記電気〜機械変換機を構成するコイルやローターやステーターと、前記回路ブロックを構成する水晶振動子とを備え、
前記時計ムーブメントの長辺側の対向する辺の一方に沿うように前記コイルを、他方に沿うように前記水晶振動子を配置し、更に前記コイルと前記水晶振動子とは略平行に配置すると共に、前記ローターから少なくとも日の裏車までの前記輪列部の各回転中心が前記コイルと前記水晶振動子と略平行になるように、前記輪列部を前記コイルと前記水晶振動子との中間部に、また前記輪列部を構成する三番車と二番車の歯車部の下部に前記ステーターを配置し、且つ、前記コイルと前記水晶振動子と前記輪列部とを前記時計ムーブメントの下部に、前記電池を前記コイルと前記水晶振動子と前記輪列部の上部に平面的に重なるように配置したことを特徴とする時計ムーブメント。
【請求項２】
前記輪列部を構成する日の裏車と、前記電気〜機械変換機を構成するローターとを、時針を固定する筒車を挟んで対向位置に配置するとともに、前記回路ブロックを構成するＩＣを、前記日の裏車の上部に少なくとも一部が平面的に重なるように配置したことを特徴とする請求項１に記載の時計ムーブメント。
【請求項３】
前記時計ムーブメントの外形形状の短辺を電池外形と略同寸法としたことを特徴とする請求項１又は請求項２に記載の時計ムーブメント。
【発明の詳細な説明】
【０００１】
【発明の属する技術分野】
本発明は、電池を上部に配置した時計用ムーブメントに関するものである。
【０００２】
【従来の技術】
腕時計用のム−ブメントは、デザイン性を向上するための小型化、薄型化への挑戦が常に行われてきた。特に水晶時計の小型化については、指針表示部と電池との配置上で生じる種々の制約の故に、特開昭５７−２４８７９号公報の図３に示すように、纏まった平面
スペースが必要となる電池３３をムーブメントの上部に配置するというような手法により、電池サイズをベースとしてムーブメントの形状を決めるという極限的小型化の追求が行われてきた。
【０００３】
ところが、近年、電池外形はΦ４．８ｍｍまで小型化されているが、この電池サイズにふさわしい大きさのムーブメントの提示は未だ行われていない。これは、他のエレメントの大幅な小型化が難しい中で、それらを活用できる合理的な配置構造が考案されていないことによる。
【０００４】
【発明が解決しようとする課題】
電池３３を上部に配置したムーブメントで小型化するときに一般に取られる配置は、電池３３の次に纏まったスペースが必要となるコイル３６と水晶振動子１２２を略直角にすることで、残りのエレメントを配置するスペースを大きく確保することである。ところがこのような配置で更に小型化しようとする場合、コイル３６と水晶振動子１２２との干渉で規制されることになる。
【０００５】
本発明は上記の欠点を解決し、電池を上部に配置したムーブメントにおいて、水晶振動子、コイルの大きさに適応したムーブメントサイズを可能にするムーブメント構造を提供することを目的とする。
【０００６】
【課題を解決するための手段】
電池、回路ブロック、電気〜機械変換機、輪列部を有する時計ムーブメントにおいて、前記時計ムーブメントは略長方形を成しており、また、前記電気〜機械変換機を構成するコイルやローターやステーターと、前記回路ブロックを構成する水晶振動子とを備え、前記時計ムーブメントの長辺側の対向する辺の一方に沿うように前記コイルを、他方に沿うように前記水晶振動子を配置し、更に前記コイルと前記水晶振動子とは略平行に配置すると共に、前記ローターから少なくとも日の裏車までの前記輪列部の各回転中心が前記コイルと前記水晶振動子と略平行になるように、前記輪列部を前記コイルと前記水晶振動子との中間部に、また前記輪列部を構成する三番車と二番車の歯車部の下部に前記ステーターを配置し、且つ、前記コイルと前記水晶振動子と前記輪列部とを前記時計ムーブメントの下部に、前記電池を前記コイルと前記水晶振動子と前記輪列部の上部に平面的に重なるように配置したことを特徴とする。
これにより、電池を上部に配置した時計ムーブメントにおいて、コイルと水晶振動子を略平行に配置することにより相互干渉を排し、該両部品間の空いたスペースに効率的に輪列部を配置することが出来る。
【０００７】
また請求項１に記載の時計ムーブメントにおいて、輪列部を構成する日の裏車と、電気〜機械変換機を構成するローターとを、時針を固定する筒車を挟んで対向位置に配置するとともに、回路ブロックを構成するＩＣを、前記日の裏車の上部に少なくとも一部が平面的に重なるように配置したことを特徴とする。
【０００８】
また請求項１又は請求項２に記載の時計ムーブメントにおいて、時計ムーブメントの外形形状の短辺を電池外形と略同寸法としたことを特徴とする。
ムーブメント形状を略長方形とし、短径を電池外形と略同寸法とすることと、略平行に配置するコイルと水晶振動子とを対向する辺に沿わせて配置することにより小型化を効率的に活用できる。
【０００９】
【００１０】
【００１１】
【発明の実施の形態】
図１は本発明が適用された時計ムーブメントの平面図で電池を取り外した状態を示している。図２は図１の断面図、図３は図１の要部断面図である。図において、１は地板で、２は輪列受、地板１と輪列受２でもって後述する輪列を軸支保持する。輪列受２にはフックＡ  ２ａ、フックＢ  ２ｂ、スイッチバネ部  ２ｃ、電池保持部  ２ｄ、が形成されている。３はスペーサ、４はボタン型の電池で近年の小型化により電池外形はΦ４．８ｍｍのものも使用できる。
【００１２】
５は回路ブロックで、回路基板５ａの上にＩＣ５ｂや水晶振動子５ｃ、コンデンサー５ｄなどが実装されている。次に、６は電気〜機械変換機、コイル６ａ、ステーター６ｂ、ローター６ｃより構成されている。７は輪列部でローター６ｃからの回転を伝える役目を有し、三番車７ａ、二番車７ｂ、日ノ裏車７ｃ、時針を固定する筒車７ｄなどより成る。また、８は絶縁シート、９は電池受バネ、１０はネジ、１１はスイッチ押し部材（外装部品）などより時計ムーブメントは構成されている。
【００１３】
略長方形を成す地板１の長辺の一方に沿うように水晶振動子５ｃが配置され、他方の長辺にコイル６ａが沿うように配置され、該水晶振動子５ｃとコイル６ａは略平行配置となる。水晶振動子５ｃとコイル６ａの中間部には、電気〜機械変換機６を構成するローター６ｃからの回転が伝達される輪列部７である三番車７ａ、二番車７ｂ（分針が固定される）、日ノ裏車７ｃ、筒車７ｄ（二番車７ｂと同芯位置にある）が連結されて配置される。
【００１４】
また、輪列部７の各回転中心も水晶振動子５ｃやコイル６ａと略平行配置されており、これら水晶振動子５ｃやコイル６ａあるいは輪列部７の上部に、これらと平面的に重なるように電池４が配設されている。
【００１５】
そして、ローター６ｃ及び三番車７ａに対して日ノ裏車７ｃは、指針配置位置である筒車７ｄや二番車７ｂを挟んで対向する位置に配置されている。コイル６ａ、ローター６ｃと共に電気〜機械変換機６を構成するステーター６ｂは三番車７ａ、二番車７ｂの歯車部の下部に配置され、一方ステーター６ｂは日ノ裏車７ｃの歯車部を逃がして平面的に干渉しないように配置されているので、日ノ裏車７ｃの歯車部を下の方に配置することが可能となっている。
【００１６】
回路ブロック５はパターニング（図示せず）された回路基板５ａにＩＣ５ｂ、水晶振動子５ｃ、コンデンサー５ｄが実装されており、回路基板５ａの下面に実装されたＩＣ５ｂは日ノ裏車７ｃの上方に、少なくとも一部が平面的に重なるように配置されている。輪列受２は回路基板５ａの上部に近接して配置され、輪列受２に一体化されたフックＡ  ２ａ、フックＢ  ２ｂとネジ１０とにより地板１と結合される。
【００１７】
フックＢ  ２ｂにはスイッチの入力部を構成するスイッチバネ部２ｃが一体で形成されていて、水晶振動子５ｃの外側に配置されており、時刻修正用のスイッチ押し部材１１（外装部品）で押されて、回路基板５ａの側面パターン５ｅに接触することによりＯＮ／ＯＦＦしてスイッチ動作をする。
なお、時刻修正用のスイッチ入力部の配置位置を、他の辺に配置しても良く、地板１の外形形状の範囲内であっても、範囲外であっても良いことは明らかである。
【００１８】
輪列受２の上部には電池４が絶縁シート８を介して重ねられ、輪列受２に一体に形成された少なくとも２個以上の電池保持部２ｄ（本実施例では４個設定している）で保持されている。電池４のマイナス缶は回路基板５ａに半田付けされた電池受けバネ９がバネ接触し回路ブロック５と導通を取っている。
【００１９】
時計ムーブメントはその短辺を電池４外径と略同寸法とした略長方形と成し、長辺側の
対向する辺の一方にコイル６ａを、他方に水晶振動子５ｃを配置している。
なお、本発明の実施例では略長方形のムーブメントを例にして説明したが、樽型のムーブメントにおいても、上記配置構造を適用することが出来る。
【００２０】
コンデンサー５ｄは基板を挟んでＩＣと反対面に実装されており、時計ムーブメントの長辺方向と電池４との空きスペースに配置される。そしてコンデンサー５ｄを断面的に電池４とほぼ同高さに、且つ平面的に並べて配置している。地板１と回路基板５ａ、輪列受２の間にはスペーサ３が配置され、輪列受２の高さ合わせ、日ノ裏車７ｃの上部スラストの受面などに使用される。
【００２１】
【発明の効果】
このように構成することにより、電池を上部に配置した構造の時計ムーブメントで水晶振動子５ｃとコイル６ａは独立に配置されるので、ムーブメントのサイズには単独の影響を与えるだけであり、水晶振動子とコイルに見合ったムーブメントサイズが設定できるものである。逆に、ムーブメントサイズに見合ったサイズの水晶振動子、コイルを開発すれば更なる小型化への対応が容易にできることになる。
【００２２】
また、水晶振動子５ｃとコイル６ａが略平行に配置されることにより両者の中間部に最大限の空間を確保できるので、既に述べたように輪列部、回路ブロックなどを効率的に配置できるものであり、輪列部７の各回転中心も水晶振動子５ｃやコイル６ａと略平行配置することで電池を上部に配置した構造の中で究極的な小型化を追求することを可能にしたものである。
【００２３】
【００２４】
【図面の簡単な説明】
【図１】  本発明が適用された時計ムーブメントの平面図である。
【図２】  本発明が適用された時計ムーブメントの断面図である。
【図３】  本発明が適用された時計ムーブメントの要部断面図である。
【符号の説明】
１  地板
２  輪列受
２ａ  フックＡ
２ｂ  フックＢ
２ｃ  スイッチバネ部
２ｄ  電池保持部
３  スペーサ
４  電池
５  回路ブロック
５ａ  回路基板
５ｂ  ＩＣ
５ｃ  水晶振動子
５ｄ  コンデンサー
６  電気〜機械変換機
６ａ  コイル
６ｂ  ステーター
６ｃ  ローター
７  輪列部
７ａ  三番車
７ｂ  二番車
７ｃ  日ノ裏車
７ｄ  筒車
８  絶縁シート
９  電池受バネ
１０  ネジ
１１  スイッチ押し部材（外装部品）
【図１】
0003878837.tif 000002
【図２】
0003878837.tif 000003
【図３】
0003878837.tif 000004